(57)【要約】      （修正有）【課題】脊椎を矯正するための脊椎矯正ベルトを提供する。【解決手段】本体１０及び背負帯を含む脊椎矯正ベルト１であって、本体は、メイン帯体１１を含む。該メイン帯体には、第一穿設部１０１、第一サブ帯体１２及び第二サブ帯体１３が更に設けられており、第一サブ帯体は、第一接合部３０と、第二サブ帯体の接触面における第二接合部３１とによって接続されることが可能であり、背負帯は、第一背負帯２１を含む。第二穿設部１０２及び第二背負帯２２を更に備え、一端がメイン帯体に固定され、他端が、接触面に設けられた第一接合部によって、第一サブ帯体と第二サブ帯体との接触面に設けられた第二接合部にそれぞれ接続されており、使用の際は、第二背負帯が第二穿設部を通ってから、第一背負帯及び第二背負帯が、２つの反対方向から第一穿設部を通り、更に第一サブ帯体及び第二サブ帯体に接合するように動作しなければならない。【選択図】図１
0003225585.tif 000002
【実用新案登録請求の範囲】
【請求項１】
本体及び背負帯を含む脊椎矯正ベルトであって、
該本体は、メイン帯体と、該メイン帯体から両側にて外へ伸びる第一サブ帯体及び第二サブ帯体とによって構成されており、該メイン帯体は、第一連結部によって該第一サブ帯体に接続され、第二連結部によって該第二サブ帯体に接続されており、該メイン帯体と該第二サブ帯体には、接触面に鉱物繊維布、複数の永久磁石及び複数のパルスストーンが設けられており、該第一サブ帯体には、該接触面の端部に第一接合部が設けられ、該メイン帯体には、非接触面に第一穿設部が設けられ、該第一サブ帯体と該第二サブ帯体の該非接触面に第二接合部が設けられており、該第一サブ帯体は、その接触面の端部における該第一接合部と該第二サブ帯体の非接触面における該第二接合部とによって接合されることが可能であり、
該背負帯は、第一背負帯と、第二背負帯とによって構成されており、該第一背負帯と該第二背負帯は、一端が該メイン帯体に固定され、接触面に該永久磁石及び該パルスストーンが設けられ、該第一背負帯に第二穿設部が設けられる一方、他端の接触面に該第一接合部が設けられ、非接触面に該第二接合部が設けられている脊椎矯正ベルトにおいて、
該第一背負帯は、該第二サブ帯体の方から該第一穿設部に入り、該第一サブ帯体の方から出て、最終的に該第一背負帯の接触面における該第一接合部と、該第一サブ帯体の非接触面における該第二接合部とによって接合され、該第二背負帯は、該第一背負帯における該第二穿設部を通って、該第一サブ帯体の方から該第一穿設部に入ってから、該第二サブ帯体の方から出て、最終的に該第二背負帯の接触面における該第一接合部と、該第一サブ帯体の非接触面における該第二接合部とによって接合されることを特徴とする脊椎矯正ベルト。
【請求項２】
該第一連結部は、伸縮機能を備えた弾性設計になっている
請求項１に記載の脊椎矯正ベルト。
【請求項３】
該メイン帯体の接触面には、複数の滑り止め部が設けられている。
請求項１に記載の脊椎矯正ベルト
【請求項４】
該背負帯は、弾性帯とナイロンウェビングとが接続されてなるものである
請求項１に記載の脊椎矯正ベルト。
【請求項５】
該弾性帯は、該メイン帯体の方に固定されている
請求項４に記載の脊椎矯正ベルト。
【考案の詳細な説明】
【技術分野】
【０００１】
本考案は、脊椎矯正ベルトに関し、特に、肩及び背中に装着されて脊椎を矯正するための矯正ベルトに関する。
【背景技術】
【０００２】
現在の生活において、様々な３Ｃ電子装置は、我々の日常生活の必要品になっておいる。３Ｃ電子装置は、例えば、通勤族が毎日に使用するコンピュータや、誰もが必ず持っている携帯電話が挙げられる。従来は、通勤族が長時間に亘ってコンピュータを使用するため、ずっと同じ姿勢を取っていることや姿勢不良により、肩に痛みが生じること多かったが、今は、歩きながらスマホを使うことが一般化し、姿勢の悪い人が増えている。また、従来から患っている肩の痛みから、脊椎側弯や他の脊椎関連の問題を更に引き起こすこともある。
【０００３】
しかしながら、従来の脊椎矯正ベルトや装置のほとんどは、複雜な構造を有しており、装着する時に他人の助けを必要とし、使用に不便をもたらすことに加えて、他の保護補助具よりも重いため、使用者が使用する際、身体への負担が大きい。使用者の年齢層の低下につれて、サイズ及び重さは、このような補助具にとって、重視すべき肝心な課題になっている。
【考案の概要】
【考案が解決しようとする課題】
【０００４】
結束バンド式の矯正装置を使用すると、重さの問題は解決されるものの、面倒な装着手順及びやり方を介しないと装着できないため、子供は言うまでもなく、大人でさえ、補助具を使用者の身体に正しく装着するのに時間が掛かってしまう。現階段では、着脱しやすくてほとんどの使用者のニーズを満たすことが可能で、装着後も使用者の生活に不便をもたらすことのない補助装置が求められ、これは、我々の改善のポイントである。
【課題を解決するための手段】
【０００５】
これに鑑みて、本実用新案は、本体及び背負帯を含む脊椎矯正ベルトであって、該本体は、メイン帯体と、該メイン帯体から両側にて外へ伸びる第一サブ帯体及び第二サブ帯体とによって構成されており、該メイン帯体は、第一連結部によって該第一サブ帯体に接続され、第二連結部によって該第二サブ帯体に接続されており、該メイン帯体と該第二サブ帯体には、接触面に鉱物繊維布、複数の永久磁石及び複数のパルスストーンが設けられており、該第一サブ帯体には、該接触面の端部に第一接合部が設けられ、該メイン帯体には、非接触面に第一穿設部が設けられ、該第一サブ帯体と該第二サブ帯体の該非接触面に第二接合部が設けられており、該第一サブ帯体は、その接触面の端部における該第一接合部と該第二サブ帯体の非接触面における該第二接合部とによって接合されることが可能であり、該背負帯は、第一背負帯と、第二背負帯とによって構成されており、該第一背負帯と該第二背負帯は、一端が該メイン帯体に固定され、接触面に該永久磁石及び該パルスストーンが設けられ、該第一背負帯に第二穿設部が設けられる一方、他端の接触面に該第一接合部が設けられ、非接触面に該第二接合部が設けられている脊椎矯正ベルトにおいて、該第一背負帯は、該第二サブ帯体の方から該第一穿設部に入り、該第一サブ帯体の方から出て、最終的に該第一背負帯の接触面における該第一接合部と、該第一サブ帯体の非接触面における該第二接合部とによって接合され、該第二背負帯は、該第一背負帯における該第二穿設部を通って、該第一サブ帯体の方から該第一穿設部に入ってから、該第二サブ帯体の方から出て、最終的に該第二背負帯の接触面における該第一接合部と、該第一サブ帯体の非接触面における該第二接合部とによって接合される
脊椎矯正ベルトを提供している。
【０００６】
前記の脊椎矯正ベルトにおいて、該連結部は、伸縮機能を備えた弾性設計になっている。
【０００７】
前記の脊椎矯正ベルトにおいて、該メイン帯体１１の接触面には、複数の滑り止め部１１２が設けられている。
【０００８】
前記の脊椎矯正ベルトにおいて、該背負帯２０は、弾性帯２０１とナイロンウェビング２０２が接続されてなるものである。
【０００９】
前記の脊椎矯正ベルトにおいて、該弾性帯２０１は、該メイン帯体１１の方に固定されている。
【００１０】
こうして、本考案が提案した脊椎矯正ベルトによれば、結束バンドの設計を用いた上で、接合部によって互いに接合して固定させるといった簡単な設計になっているため、使用者は、他人の手助けなしで、自分で装着することができ、穿設部の作用の下で、脊椎矯正ベルトは、使用者の身体にフィットさせて固定されることができる。
【考案の効果】
【００１１】
それに、弾性帯と接合部とを組み合せた設計によって、使用者は、自己の好みに応じて装着時のきつさを調整することができ、快適な状態で姿勢を保護及び矯正するという目的が達成される。従来の矯正装置とは異なるだけではなく、脊椎矯正装置が重くて構造が複雜であるという以前からの既定印象を破り、快適で装着が簡単であるという効果を奏する。
【図面の簡単な説明】
【００１２】
【図１】図１は、本考案の脊椎矯正ベルトの前面図である。
【図２】図２は、本考案の脊椎矯正ベルトの背面図である。
【考案を実施するための形態】
【００１３】
本考案は、脊椎矯正ベルト１を開示したものである。微量の磁束を用いて人体の脊椎のツボを和らげる関連基礎原理は、当業者にとって明かであるため、以下の説明では、完全な形で記述することがない。そして、以下に参照される図面は、言うまでも無く、本考案の特徴に係る構造を模式的に示したもので、完全に実際の寸法に従って描画したものではなく、そうする必要もない。
【００１４】
本考案が提案した脊椎矯正ベルト１の前面図及び背面図である図１及び図２を参照して、この脊椎矯正ベルト１は、メイン帯体１１と、該メイン帯体１１から両側にて外へ伸びる第一サブ帯体１２及び第二サブ帯体１３とによって構成された本体１０を含む。メイン帯体１０は、第一連結部１４によって第一サブ帯体１２に接続され、第二連結部１５によって第二サブ帯体１３に接続されており、該メイン帯体１１及び該第二サブ帯体１３には、接触面に鉱物繊維布１１１、複数の永久磁石２及び複数のパルスストーン３が設けられている。この鉱物繊維布１１１は、遠赤外線を放出可能な素材であり、永久磁石２及びパルスストーン３は、いずれもメイン帯体１１の接触面に設けられる。その配列方式として、永久磁石２及びパルスストーン３から放出された微量の磁束が脊椎の周りの神経及び筋肉を緩和することができるように、人体の背中の脊椎付近のツボ位置に合わせた配列をしており、第一サブ帯体１２には、接触面の端部に第一接合部３０が設けられている。
【００１５】
メイン帯体１１には、非接触面に第一穿設部１０１が設けられ、第一サブ帯体１２と第二サブ帯体１３の非接触面に第二接合部３１が設けられている。第一サブ帯体１２は、接触面の端部における第一接合部３０と、第二サブ帯体１３の非接触面における第二接合部とによって互いに接合されることが可能である。
【００１６】
言及しておきたいのは、図１に示すように、いずれの第一接合部３０といずれの第二接合部３１も互いに結合可能であり、その結合位置は限定されない。使用者の様々なニーズに応じて互いに結合して、様々な用途をより多く実現してもよい。この脊椎矯正ベルト１を、使用者のニーズに応じて、装着する必要のある位置に装着してもよい。そして、第一接合部３０と第二接合部３１は、面ファスナ構造であって、第一接合部３０が粘着性を有する面ファスナ部で、第二接合部３１が粘着性を有しない面ファスナ構造であるようにしてもよく、２つの部品をもつ他の種類の相互接合部材であってもよい。
【００１７】
引き続き図１を参照して、この脊椎矯正ベルト１は、第一背負帯２１と第二背負帯２２とによって構成された締付帯２０を第一背負帯２１と第二背負帯２２は、一端がメイン帯体１１に固定され、接触面に複数の永久磁石２及び複数のパルスストーン３が設けられ、第一背負帯に第二穿設部１０２が設けられる一方、他端の接触面に第一接合部３０が設けられ、非接触面に第二接合部３１が設けられている。第一背負帯２１は、第二サブ帯体１３の方から第一穿設部１０１に入り、第一サブ帯体１２の方から出て、最終的に第一背負帯２１の接触面における第一接合部３０と、第一サブ帯体１２の非接触面における第二接合部３１によって接合される。第二背負帯體２２は、第一背負帯體２１における第二穿設部１０２を通って、第一サブ帯体１２の方から第一穿設部１０１に入ってから、第二サブ帯体１３の方から出て、最終的に第二背負帯２２の接触面における第一接合部３０と、第一サブ帯体１２の非接触面における第二接合部３１とによって互いに接合される。
【００１８】
言及しておきたいのは、図１に示すように、メイン帯体１１の非接触面における第一穿設部１０１は、背負帯が第一穿設部を介して穿設の方向を固定にして脊椎矯正ベルト全体の構造に連結することができるように、四角いもので、且つ、対応する四隅の位置制限装置にそれぞれ位置している４つの穿設口を有してもよい。その穿設方式として、左上又は右上の穴から入り、隣接していない対応する穴から出るようにしており、こうして、背負帯は、穿設方向が制限されて、使用者の背中に締め付けて貼り合わせられるようになる。更に、締付帯２０に設けられた永久磁石２及びパルスストーン３が、人体の脊椎付近の対応するツボに正しく貼り合わせられる。
【００１９】
言及しておきたいのは、図１を参照して、連結部１４は、伸縮機能を備えた弾性設計になっており、この連結部１４は、メイン帯体１１と、第一サブ帯体１２と、第二サブ帯体１３とを連結して本体１０を形成する役割を果たすもので、接続部１４は、装着をより快適にするために、弾性的に延伸可能な生地にされている。こうすることで、様々な使用者の身体構造に応じた、高フィット性の装着設計を実現し、脊椎矯正ベルト１の本来の目的である、使用者の背中の脊椎の屈曲度合いを制限し、使用者がストレッチ活動中に脊椎まで過度に曲がって怪我をするのを避けるとともに、屈曲度合いを制限して、使用者の姿勢を正しい角度に制限することでき、矯正の役割を果たせることを達成している。
【００２０】
もう１つ言及しておきたいのは、図２を参照して、メイン帯体１１の接触面には、複数の滑り止め部１１２が設けられており、メイン帯体１１の接触面に永久磁石２及びパルスストーン３が設けられているため、永久磁石２及びパルスストーン３は、正しいツボ位置への固定が必要で、締付帯２０だけではなく、メイン帯体１１上の滑り止め部１１２によって使用者の身体に付着される必要がある。これにより、位置固定後のメイン帯体１１は、使用者のストレッチ活動中に大きな位置ズレが生じず、永久磁石２及びパルスストーン３による緩和効果を失うことがない。
【００２１】
言及しておきたいのは、締付帯２０は、弾性帯２０１とナイロンウェビング２０２とが連結されてなるものになっており、弾性帯２０１は、例えば、伸縮縄や弾性帯などの弾性のある縄体、帯体のように、靭性及び伸縮機能をもつ如何なる伸縮帯であってもよく、ナイロンウェビング２０２は、強い靭性及び引張強度を有する帯体であり、本脊椎矯正ベルト１の中で、引張力に対して最も構造的に耐性があり、頑丈な構造を維持可能な部分になっている。
【００２２】
もう１つ言及しておきたいのは、第一背負帯２１及び第二背負帯２２の弾性帯２０１がメイン帯体１１の方に固定されており、第一背負帯２１及び第二背負帯２２によってセット時に規定された範囲は、使用者が装着時に両手を着用する位置である。こうして、第一背負帯２１及び第二背負帯２２の素材は、弾性帯２０１となり、様々な体型の使用者に適合させることができ、使用者の背中及び肩は、活動中に、いずれも弾性帯２０１の延伸によって使用者の身体にフィットすることができ、ストレッチ活動によって脊椎矯正ベルト１上の締付帯２０が緩んで脊椎矯正ベルト１が元のセット位置から外れることがなく、預期通りの効果が達成される。
【００２３】
上述したのは、あくまでも本考案の好ましい実施例に過ぎず、本考案の請求の範囲を制限するためのものではない。そして、以上の説明は、当業者にとって明確かつ実施可能なものであるため、本考案の開示の精神から逸脱することなく成された他の等価的な変更や修正は、いずれも本考案の請求の範囲に含まれるものとする。
【符号の説明】
【００２４】
１      脊椎矯正ベルト
２      永久磁石
３      パルスストーン
１０    本体
１１    メイン帯体
１２    第一サブ帯体
１３    第二サブ帯体
１４    第一連結部
１５    第二連結部
１０１  第一穿設部
１０２  第二穿設部
１１１  鉱物繊維布
１１２  滑り止め部
２０    締付帯
２０１  弾性帯
２０２  ナイロンウェビング
２１    第一背負帯
２２    第二背負帯
３０    第一接合部
３１    第二接合部
【図１】
0003225585.tif 000003
【図２】
0003225585.tif 000004